【手続補正書】
【提出日】令和3年1月15日(2021.1.15)
【手続補正１】
【補正対象書類名】特許請求の範囲
【補正対象項目名】全文
【補正方法】変更
【補正の内容】
【特許請求の範囲】
【請求項１】
基地局(BS)によって実行されるワイヤレス通信のための方法であって、
少なくとも1つのアップリンク(UL)コンポーネントキャリア(CC)および少なくとも1つの補助アップリンク(SUL)CCを含む複数のCCのうちの第1のCC上でランダムアクセス(RA)プリアンブルを受信するステップと、
前記RAプリアンブルに対する応答を送信するステップであって、
前記応答が、前記第1のCCを示し、かつ
前記応答が、前記第1のCCを示すランダムアクセス無線ネットワーク一時識別子(RA-RNTI)によってスクランブルされる物理ダウンリンク制御チャネル(PDCCH)を含む、ステップと、
前記RA-RNTIを
前記第1のCCが前記SUL  CCでないときは、RA-RNTI=1+tid+NFxfidとして計算するステップと、
前記RA-RNTIを
前記第1のCCが前記SUL  CCであるときは、RA-RNTI=1+tid+NFxfid+ΔSULとして計算するステップと
を含み、
tidは、前記第1のCCに対する前記RAプリアンブルの時間リソース識別子であり、
NFは定数であり、
fidは、前記第1のCCに対する前記RAプリアンブルの周波数リソース識別子であり、
ΔSULは、前記SUL  CCを示す値である、方法。
【請求項２】
ユーザ機器によって実行されるワイヤレス通信のための方法であって、
少なくとも1つのアップリンク(UL)コンポーネントキャリア(CC)および少なくとも1つの補助アップリンク(SUL)CCを含む複数のCCのうちの第1のCC上でランダムアクセス(RA)プリアンブルを送信するステップと、
前記RAプリアンブルに対する応答を受信するステップであって、
前記応答が、前記第1のCCを示し、かつ
前記応答が、前記第1のCCを示すランダムアクセス無線ネットワーク一時識別子(RA-RNTI)によってスクランブルされる物理ダウンリンク制御チャネル(PDCCH)を含む、ステップと
前記RA-RNTIを
前記第1のCCが前記SUL  CCでないときは、RA-RNTI=1+tid+NFxfidとして計算するステップと、
前記RA-RNTIを
前記第1のCCが前記SUL  CCであるときは、RA-RNTI=1+tid+NFxfid+ΔSULとして計算するステップと
を含み、
tidは、前記第1のCCに対する前記RAプリアンブルの時間リソース識別子であり、
NFは定数であり、
fidは、前記第1のCCに対する前記RAプリアンブルの周波数リソース識別子であり、
ΔSULは、前記SUL  CCを示す値である、方法。
【請求項３】
ワイヤレス通信のための装置であって、
メモリと、
前記メモリに結合されたプロセッサと
を備え、前記プロセッサと前記メモリとが、
少なくとも1つのアップリンク(UL)コンポーネントキャリア(CC)および少なくとも1つの補助アップリンク(SUL)CCを含む複数のCCのうちの第1のCC上でランダムアクセス(RA)プリアンブルを基地局(BS)に受信させることと、
前記RAプリアンブルに対する応答を前記BSに送信させることであって、
前記応答が、前記第1のCCを示し、かつ
前記応答を送信させるため、前記プロセッサと前記メモリとが、
前記第1のCCを示すランダムアクセス無線ネットワーク一時識別子(RA-RNTI)によってスクランブルされる物理ダウンリンク制御チャネル(PDCCH)を送信させることを行うように構成される、送信させることと、
前記RA-RNTIを
前記第1のCCが前記SUL  CCでないときは、RA-RNTI=1+tid+NFxfidとして計算させることと、
前記RA-RNTIを
前記第1のCCが前記SUL  CCであるときは、RA-RNTI=1+tid+NFxfid+ΔSULとして計算させることと
を行うように構成され、
tidは、前記第1のCCに対する前記RAプリアンブルの時間リソース識別子であり、
NFは定数であり、
fidは、前記第1のCCに対する前記RAプリアンブルの周波数リソース識別子であり、
ΔSULは、前記SUL  CCを示す値である、装置。
【請求項４】
ワイヤレス通信のための装置であって、
メモリと、
前記メモリに結合されたプロセッサと
を備え、前記プロセッサと前記メモリとが、
少なくとも1つのアップリンク(UL)コンポーネントキャリア(CC)および少なくとも1つの補助アップリンク(SUL)CCを含む複数のCCのうちの第1のCC上でランダムアクセス(RA)プリアンブルをユーザ機器(UE)に送信させることと、
前記RAプリアンブルに対する応答を前記UEに受信させることであって、
前記応答が、前記第1のCCを示し、かつ
前記応答が、前記第1のCCを示すランダムアクセス無線ネットワーク一時識別子(RA-RNTI)によってスクランブルされる物理ダウンリンク制御チャネル(PDCCH)を含む、受信させることと
前記RA-RNTIを
前記第1のCCが前記SUL  CCでないときは、RA-RNTI=1+tid+NFxfidとして計算させることと、
前記RA-RNTIを
前記第1のCCが前記SUL  CCであるときは、RA-RNTI=1+tid+NFxfid+ΔSULとして計算させることと
を行うように構成され、
tidは、前記第1のCCに対する前記RAプリアンブルの時間リソース識別子であり、
NFは定数であり、
fidは、前記第1のCCに対する前記RAプリアンブルの周波数リソース識別子であり、
ΔSULは、前記SUL  CCを示す値である、装置。
【請求項５】
ワイヤレス通信のための装置であって、
少なくとも1つのアップリンク(UL)コンポーネントキャリア(CC)および少なくとも1つの補助アップリンク(SUL)CCを含む複数のCCのうちの第1のCC上でランダムアクセス(RA)プリアンブルを受信するための手段と、
前記RAプリアンブルに対する応答を送信するための手段であって、
前記応答が、前記第1のCCを示し、かつ
前記応答が、前記第1のCCを示すランダムアクセス無線ネットワーク一時識別子(RA-RNTI)によってスクランブルされる物理ダウンリンク制御チャネル(PDCCH)を含む、手段と、
前記RA-RNTIを
前記第1のCCが前記SUL  CCでないときは、RA-RNTI=1+tid+NFxfidとして計算するための手段と、
前記RA-RNTIを
前記第1のCCが前記SUL  CCであるときは、RA-RNTI=1+tid+NFxfid+ΔSULとして計算するための手段と
を含み、
tidは、前記第1のCCに対する前記RAプリアンブルの時間リソース識別子であり、
NFは定数であり、
fidは、前記第1のCCに対する前記RAプリアンブルの周波数リソース識別子であり、
ΔSULは、前記SUL  CCを示す値である、装置。
【請求項６】
基地局によるワイヤレス通信のためのコンピュータ実行可能コードを記憶したコンピュータ可読記録媒体であって、前記コンピュータ実行可能コードは、
少なくとも1つのアップリンク(UL)コンポーネントキャリア(CC)および少なくとも1つの補助アップリンク(SUL)CCを含む複数のCCのうちの第1のCC上でランダムアクセス(RA)プリアンブルを受信するためのコードと、
前記RAプリアンブルに対する応答を送信するためのコードであって、
前記応答が、前記第1のCCを示し、かつ
前記応答が、前記第1のCCを示すランダムアクセス無線ネットワーク一時識別子(RA-RNTI)によってスクランブルされる物理ダウンリンク制御チャネル(PDCCH)を含む、コードと、
前記RA-RNTIを
前記第1のCCが前記SUL  CCでないときは、RA-RNTI=1+tid+NFxfidとして計算するためのコードと、
前記RA-RNTIを
前記第1のCCが前記SUL  CCであるときは、RA-RNTI=1+tid+NFxfid+ΔSULとして計算するためのコードと
を含み、
tidは、前記第1のCCに対する前記RAプリアンブルの時間リソース識別子であり、
NFは定数であり、
fidは、前記第1のCCに対する前記RAプリアンブルの周波数リソース識別子であり、
ΔSULは、前記SUL  CCを示す値である、コンピュータ可読記録媒体。
【請求項７】
ワイヤレス通信のための装置であって、
少なくとも1つのアップリンク(UL)コンポーネントキャリア(CC)および少なくとも1つの補助アップリンク(SUL)CCを含む複数のCCのうちの第1のCC上でランダムアクセス(RA)プリアンブルを送信するための手段と、
前記RAプリアンブルに対する応答を受信するための手段であって、
前記応答が、前記第1のCCを示し、かつ
前記応答が、前記第1のCCを示すランダムアクセス無線ネットワーク一時識別子(RA-RNTI)によってスクランブルされる物理ダウンリンク制御チャネル(PDCCH)を含む、手段と
前記RA-RNTIを
前記第1のCCが前記SUL  CCでないときは、RA-RNTI=1+tid+NFxfidとして計算するための手段と、
前記RA-RNTIを
前記第1のCCが前記SUL  CCであるときは、RA-RNTI=1+tid+NFxfid+ΔSULとして計算するための手段と
を含み、
tidは、前記第1のCCに対する前記RAプリアンブルの時間リソース識別子であり、
NFは定数であり、
fidは、前記第1のCCに対する前記RAプリアンブルの周波数リソース識別子であり、
ΔSULは、前記SUL  CCを示す値である、装置。
【請求項８】
ユーザ機器によるワイヤレス通信のためのコンピュータ実行可能コードを記憶したコンピュータ可読記録媒体であって、前記コンピュータ実行可能コードは、
少なくとも1つのアップリンク(UL)コンポーネントキャリア(CC)および少なくとも1つの補助アップリンク(SUL)CCを含む複数のCCのうちの第1のCC上でランダムアクセス(RA)プリアンブルを送信するためのコードと、
前記RAプリアンブルに対する応答を受信するためのコードであって、
前記応答が、前記第1のCCを示し、かつ
前記応答が、前記第1のCCを示すランダムアクセス無線ネットワーク一時識別子(RA-RNTI)によってスクランブルされる物理ダウンリンク制御チャネル(PDCCH)を含む、コードと
前記RA-RNTIを
前記第1のCCが前記SUL  CCでないときは、RA-RNTI=1+tid+NFxfidとして計算するためのコードと、
前記RA-RNTIを
前記第1のCCが前記SUL  CCであるときは、RA-RNTI=1+tid+NFxfid+ΔSULとして計算するためのコードと
を含み、
tidは、前記第1のCCに対する前記RAプリアンブルの時間リソース識別子であり、
NFは定数であり、
fidは、前記第1のCCに対する前記RAプリアンブルの周波数リソース識別子であり、
ΔSULは、前記SUL  CCを示す値である、コンピュータ可読記録媒体。